(57)【要約】【課題】高級感のあるデザートを最初から作ろうとすると、多大の手間がかかり、他方、市販品そのままの単品デザートでは食感・食味等の点で物足りないという問題がある。【解決手段】ゼリー状で調理済みの食材製であって、平面視の外形が六角形で所定高さを有し且つ上面中央部に好みのデザート具材４を収容し得る所定深さの凹室２を設けていることにより、デザートとしての食感を損ねることなく、且つ別のデザート具材４をトッピングすることで手軽に高級感のあるデザートを提供できる。又、平面視の外形が六角形であることにより、ゼリー状であっても保形性がよくなる。【選択図】　　　図１
0003097562.tif 000002
【実用新案登録請求の範囲】
【請求項１】
ゼリー状で調理済みの食材製であって、平面視の外形が六角形で所定高さを有し且つ上面中央部に好みのデザート具材（４）を収容し得る所定深さの凹室（２）を設けていることを特徴とするデザート具材盛り付け用の可食容器。
【請求項２】
請求項１において、凍結状態で保存し、使用時に自然解凍される形態であることを特徴とするデザート具材盛り付け用の可食容器。
【考案の詳細な説明】
【０００１】
【考案の属する技術分野】
本願考案は、デザート具材を盛り付けて該デザート具材と一緒に食することができるデザート具材盛り付け用の可食容器に関するものである。
【０００２】
【考案の背景及び考案が解決しようとする課題】
食後のデザートとしては、ケーキ類、プリン類、フルーツ類、アイスクリーム類等の多種があるが、これらのデザートはそれぞれ完成品であって単独の食味しか味わえないものである。
【０００３】
又、例えば飲酒時のつまみとして、クラッカーのようなベース食材の上に好みの具材（例えばチーズ等）を載せて供することがあるが、この場合は、トッピング具材を選べるので食味の幅が広がるものの、食後のデザートのように比較的ソフトな食感が好まれる種類の用途としては不向きである。
【０００４】
ところで、各種の食材を調理してゼリー状に仕上げたもの（例えばプリン）では、食感としてソフト感があってデザートに好適であるが、ゼリー状の単体食品のみではデザートとして食味の変化が乏しいものである。
【０００５】
そこで、このようなゼリー状食品をベースにして、好みのデザート具材（例えばフルーツ、ヨーグルト、ジャム、アイスクリーム等）をトッピングすることが考えられる。ところが、この場合は、デザートとしての食味・食感等の幅が広がるものの、ゼリー状のデザートベースでは、柔軟過ぎて保形性に乏しく且つデザート具材をトッピングしたときに該デザート具材の安定性が悪いという問題がある。
【０００６】
尚、デザート具材に使用できる食品としては、例えばフルーツ（缶詰品も可）、ヨーグルト、ジャム、アイスクリーム等があり、これらの食品は簡単に入手できるとともに家庭でも簡単に保管できる。ところが、これらのデザート具材単体だけでは、外観（見映え）や食味・食感等の点でデザートとしての高級感に乏しく、食品について高級化志向が強くなっている現在、デザートについても、手軽に製作でき且つ外観及び食味等の点で高級感のある新しい形態の出現が望まれている。
【０００７】
本願考案は、上記事情に鑑み、デザートとして食感が良好なゼリー状の調理済み食材を用い、しかも好みのデザート具材をトッピングするのに安定性がよく且つ自己の保形性が良好となる形状に成形した、デザート具材盛り付け用の可食容器を提供することを目的としている。
【０００８】
【課題を解決するための手段】
本願考案は、上記課題を解決するための手段として、次の構成を有している。尚、本願考案は、好みのデザート具材を盛り付けて該デザート具材と一緒に食することができるデザート具材盛り付け用の可食容器を対象にしている。
【０００９】
そして、本願考案のデザート具材盛り付け用の可食容器は、適宜の食材を調理してゼリー状にしたものであり、さらに平面視の外形が六角形で所定高さを有し且つ上面中央部に好みのデザート具材を収容し得る所定深さの凹室を設けた形状を特徴としている。
【００１０】
本願の可食容器の生地原料としては、例えばスイートポテト、ハンプキン、あずき、リンゴやオレンジ等の果肉、杏仁豆腐等からなる食味を決める主要材料のほかに、砂糖、水あめ、その他適宜の添加物が使用できる。又、この可食容器は、混合原料を加熱して流動化させた状態で成形トレーに流し込んだ後、冷却することでゼリー状に保形したものである。尚、本願において「ゼリー状」とは、柔軟であるが保形性のある性状であり、プリン状のものも含むものである。
【００１１】
そして、本願の可食容器は、それ自体がデザート食品の一部となるものであるが、ゼリー状であるためにほとんど咀嚼の必要がなく（口に入れると簡単に潰れる）、デザートとしての食感が良好なものとなる。
【００１２】
又、この可食容器には、その上面中央部に凹室を設けているので、該凹室内に好みのデザート具材を比較的多量に収容し得る。又、デザート具材を凹室内に収容すると、該デザート具材がこの可食容器から零れ出しにくくなる。
【００１３】
ところで、ゼリー状容器では、性状が柔軟であるために一般に保形性が乏しくなるが、本願の可食容器では、平面視の外形が六角形であるので保形性が良好となる。即ち、平面視で六角形にすると、凹室の内周面から外面までの厚さが一律ではなくなり（六角形の稜線部分の厚さが厚くなる）、平面視が円形の容器に比して保形強度が強くなる。尚、平面視の外形を四角形程度まで少ない角数にすると、その稜線部分の厚さはさらに厚くなるものの、中央部に凹室を形成したものでは、側面平面部の中央部分の厚さが薄くなり（又は凹室の内径が小さくなる）、全体の保形強度は弱くなる。
【００１４】
又、本願の可食容器は、流通段階あるいは消費者が保管する段階では凍結状態に維持させておくのが好ましい。このように、凍結保管しておくと、デザートとして必要なときに、手軽に使用することができる。尚、この可食容器の凍結は、成形トレーに入れたまま行うと、型崩れしない。
【００１５】
そして、この可食容器は、使用時に自然解凍し、好みのデザート具材を凹室内に盛り付けて、デザートとして可食容器ごと食することができる。尚、この可食容器の大きさは、特に限定するものではないが、最大直径部分が４５〜５０ｍｍ程度の一口サイズに形成することができる。
【００１６】
【考案の効果】
このように、本願考案のデザート具材盛り付け用の可食容器は、次のような効果がある。
（１）　好みのデザート具材をトッピングしてデザートとして一緒に食べるものであるが、ゼリー状であるのでデザートとしての食感が良好である。
（２）　この可食容器の食味とトッピングするデザート具材の食味とを同時に味わえるので、手軽に高級感のあるデザートを提供できる。
（３）　上面中央部にデザート具材収容用の凹室を設けているので、該凹室内に比較的多量のデザート具材を収容することができるとともに、該凹室内に収容したデザート具材がこの可食容器から零れ出しにくくなる。
（４）　ゼリー状容器では保形性が乏しくなるが、本願では平面視の外形が六角形であるので（六角形の稜線部分の厚さが厚くなる）、ゼリー状容器であっても保形性が良好となる。
【００１７】
又、この可食容器を凍結保存して必要時に自然解凍して使用し得るようにすれば、好みのデザート具材を用意しておくだけで、手軽に高級感のあるデザートを提供できる。
【００１８】
【考案の実施の形態】
以下、図１〜図５を参照して本願の実施形態を説明すると、図１及び図２には本願実施形態のデザート具材盛り付け用の可食容器１を示し、図３にはその可食容器１の製造工程を示し、図４及び図５には製造段階において可食容器１を成形トレー１１に入れた状態を示している。
【００１９】
図１及び図２に示す可食容器１は、調理済みの食材製でゼリー状の性状の容器形に形成している。又、この可食容器１は、平面視の外形が六角形で所定高さを有し、且つ上面中央部に好みのデザート具材４を収容し得る凹室２を設けている。尚、この実施形態において「ゼリー状」とは、柔軟で保形性のある性状のものをいい、プリン状のものも含むものである。
【００２０】
この可食容器１の大きさは、平面視における最大直径が４５〜５０ｍｍ、高さが３０ｍｍ程度の一口サイズに形成することができる。又、可食容器１が上記大きさであれば、凹室２は、内径が２５〜３０ｍｍ、深さが２０ｍｍ程度に設計するのが好ましい。尚、これらの数値は特に限定するものではなく、適宜に設計変更できるものである。
【００２１】
この可食容器１に使用する生地原料としては、例えばスイートポテト、ハンプキン、あずき、リンゴやオレンジ等の果肉、杏仁豆腐等の食味を決める主要材料のほかに、砂糖、水あめ、その他適宜の添加物が使用できる。そして、本願では可食容器１として、上記の主要材料によって、スイートポテト風味、ハンプキン風味、あずき風味、リンゴゼリー風味、オレンジゼリー風味、杏仁豆腐風味等の、食味の異なる複数種類のものを製作することができる。
【００２２】
トッピング用のデザート具材４（図２）としては、例えばフルーツ（缶詰品も可）、ヨーグルト、ジャム、アイスクリーム等があり、これらの食品（デザート具材４）は簡単に入手できるとともに家庭でも簡単に保管できる。
【００２３】
図１の可食容器１は、図３に示すようにして製造できる。例えば、リンゴゼリー風味のものを製造する場合には、生地原料１０として、メインになるリンゴの果肉を例えば１ｍｍサイズにカットしておき、他に砂糖、水あめ、天然食物繊維、クエン酸、ゼラチン、増粘多糖類、水等の添加物を用意しておく。そして、それらの生地原料１０をそれぞれ所定の配合量づつ計量（計量工程Ｓ１）し、釜内に混合し（混合工程Ｓ２）、均一に撹拌しておく。
【００２４】
次に、その混合生地原料を中心温度が８０℃以上になるまで加熱する（加熱工程Ｓ３）。尚、混合生地が６０℃以上になると、流動化するようになる。
【００２５】
次に、流動化状態（６０℃以上）の混合生地を成形トレー１１内に流し込む（充填工程Ｓ４）。この充填工程Ｓ４で使用される成形トレー１１には、例えば図４に示すように合計２０個程度の成形穴１２，１２・・を縦横に近接配置させたものを使用するとよい。又、この各成形穴１２，１２・・には、図５に示すように、中心部に可食容器１の凹室２を形成するための突出部１３を形成している。
【００２６】
そして、混合生地の充填後、中心温度が２０℃以下になるまで冷所（例えば１０℃以下）で冷却する（冷却工程Ｓ５）。尚、混合生地は、２０℃以下まで冷却すると、ゼリー状に固まり、保形性が出るようになる。
【００２７】
次に、混合生地を成形トレー１１ごと凍結する（凍結工程Ｓ６）。この凍結工程Ｓ６は、例えば−３５℃以下にて急速凍結を１時間程度行い、中心温度が−１８℃以下になるまで冷凍する。
【００２８】
その後、凍結品の入った成形トレーを１つづつ袋内に封入し（袋詰め工程Ｓ７）、その袋入り凍結品を所定個数（例えば１０個）づつ箱詰めして（箱詰め工程Ｓ８）、出荷製品１Ａとする。
【００２９】
尚、出荷製品１Ａは、凍結させた状態で保存・輸送され、店頭では箱から出して袋入りの状態で冷凍ケース内に冷凍陳列される。又、消費者が購入後も可食容器１をデザート容器として使用するまでは成形トレー及び袋に入れた状態で冷凍庫内に冷凍保存する。
【００３０】
消費者がデザート具材盛り付け用の可食容器として使用するには、成形トレー入り凍結品を袋のまま冷凍庫から取り出して自然解凍させる。尚、電子レンジによる解凍は品質が変化するおそれがあるので好ましくなく、室温で約２０分間放置して解凍する。
【００３１】
そして、解凍後に、袋から成形トレーごと取り出し、図５に示すように成形トレー１１の成形穴１２部分を底側から押すことにより、内部の可食容器１（ゼリー状態）を鎖線図示（符号１′）するように取り出すことができる。尚、この可食容器１は、既に所定の味付けがされており且つゼリー状の柔らかい性状となっているので、そのままでもデザートとして食することができるが、他のデザート具材４（図２）をトッピングすることによって、より一層おいしく食べられる。
【００３２】
即ち、この可食容器１の上面中央部には、凹室２が形成されており、この凹室２内に適宜のデザート具材４（例えばフルーツ果肉、ヨーグルト、アイスクリーム等）を盛り付けることにより、可食容器１の食味とデザート具材４の食味とを同時に味わえる。その場合、可食容器１はゼリー状の柔らかい性状であるので、デザートとしての食感が良好であり、しかもデザート具材４とのマッチングにより、一層おいしく食することができる。
【００３３】
このように、本願の可食容器１に好みのデザート具材４を盛り付けることで、高級感のあるデザートを提供することができる。又、この可食容器１は、家庭の冷凍庫で手軽に保管でき、従って家庭において簡単に高級なデザートを作ることができる。
【００３４】
ところで、この種のゼリー状容器では、性状が柔軟であるために一般に保形性が乏しくなるが、この可食容器１では、平面視の外形が六角形であるので、その六角形の稜線３，３・・部分と凹室２の内周面との厚さを厚くでき、平面視が円形の容器に比して保形強度が強くなる。従って、可食容器１がゼリー状であっても、型崩れしにくくなり、取り扱いがし易くなる。
【図面の簡単な説明】
【図１】本願実施形態のデザート具材盛り付け用の可食容器の斜視図である。
【図２】図１のＩＩ−ＩＩ断面図である。
【図３】図１のデザート具材盛り付け用の可食容器の製造工程図である。
【図４】図１の可食容器の成形トレー入り状態の平面図である。
【図５】図４のＶ−Ｖ拡大断面図である。
【符号の説明】
１は可食容器、２は凹室、３は稜線、４はデザート具材、１１は成形トレー、１２は成形穴である。
【図１】
0003097562.tif 000003
【図２】
0003097562.tif 000004
【図３】
0003097562.tif 000005
【図４】
0003097562.tif 000006
【図５】
0003097562.tif 000007